(57)【要約】【課題】使用状態のホルダー部材に容器が当たるだけでドアが閉じてしまうといったような事態を解消する。【解決手段】ボックス１０のドア２０を開くことにより、該ボックスの内部に格納されているホルダー部材３０が容器のホールドが可能な使用状態に作動する形式のカップホルダーであって、ドア２０とホルダー部材３０とが、ボックス１０に対して個別に配置されているとともに、ホルダー部材３０はアーム３２によってボックスに回転可能に支持されている。このアームとドアとがリンク機構４０によって連結され、ドア２０の開閉動作に連動してホルダー部材３０が格納状態あるいは使用状態に作動するように構成されている。【選択図】図１
2010137761.tif 000002
【特許請求の範囲】
【請求項１】
ボックスのドアを開くことにより、該ボックスの内部に格納されているホルダー部材が容器のホールドが可能な使用状態に作動する形式のカップホルダーであって、
ドアとホルダー部材とが、ボックスに対して個別に配置されているとともに、ホルダー部材はアームによってボックスに回転可能に支持され、このアームとドアとがリンク機構によって連結され、ドアの開閉動作に連動してホルダー部材が格納状態あるいは使用状態に作動するように構成されているカップホルダー。
【請求項２】
請求項１に記載されたカップホルダーであって、
開いた状態のドアと使用状態のホルダー部材とが、ボックスの両側で相対向する位置に配置され、ホルダー部材のアームとドアとを連結しているリンク機構は、ドアを開閉するときの回転方向とは逆方向へホルダー部材のアームを回転させるように設定されているカップホルダー。
【請求項３】
請求項１又は２に記載されたカップホルダーであって、
ホルダー部材とアームとが回転可能に連結されているとともに、使用状態のホルダー部材がほぼ水平になるように、アームに対するホルダー部材の回転位置を保持する支持アームを備えているカップホルダー。
【発明の詳細な説明】
【技術分野】
【０００１】
本発明は、飲料カップや缶等の容器を倒れないように保持するための主として車両用のカップホルダーに関し、詳しくはボックスのドアを開くことにより、該ボックスの内部に格納されているホルダー部材が容器をホールド可能な使用状態に作動する形式のカップホルダーに関する。
【背景技術】
【０００２】
この種のカップホルダーは、例えば特許文献１に開示されている技術が既に知られている。この技術でもそうであるように、容器を置くボックスが浅いトレイ形状の場合には、ドアを開いたときに該ドアの内側に直接結合されているホルダー部材がボックスの上方に位置する。このホルダー部材により、ボックス内に置いた容器が倒れないようにホールドされる。なお、このホルダー部材はドアの内側に回転可能に結合されており、ドアを閉じたときには折り畳まれてトレイの内部に格納される。
【特許文献１】特開平１０−２５０４４７号公報
【発明の開示】
【発明が解決しようとする課題】
【０００３】
特許文献１に開示されているカップホルダーのように、ホルダー部材がドアに直接結合された構成では、ドアを開いた状態においてホルダー部材に容器を当てると、ドアが閉じてしまう場合がある。また、ホルダー部材にホールドされた容器にドアを倒す方向の力がかかると、ドアが閉じる方向へ回転して容器が傾くことになる。
【０００４】
本発明は、このような課題を解決しようとするもので、その一つの目的は、使用状態のホルダー部材に容器が当たるだけでドアが閉じてしまうといったような事態を解消することである。
また、他の一つの目的は、容器がドア側あるいはその反対側へ倒れてきても、該容器を支えることである。
【課題を解決するための手段】
【０００５】
本発明は、上記の目的を達成するためのもので、以下のように構成されている。
第１の発明は、ボックスのドアを開くことにより、該ボックスの内部に格納されているホルダー部材が容器のホールドが可能な使用状態に作動する形式のカップホルダーであって、ドアとホルダー部材とが、ボックスに対して個別に配置されているとともに、ホルダー部材はアームによってボックスに回転可能に支持されている。このアームとドアとがリンク機構によって連結され、ドアの開閉動作に連動してホルダー部材が格納状態あるいは使用状態に作動するように構成されている。
【０００６】
このように、ドアとその開閉動作に連動して作動するホルダー部材とをボックスに対して個別に配置することにより、ホルダー部材がドアに直接結合された構成と異なり、例えば使用状態のホルダー部材に容器が当たるだけでドアが閉じる方向へ回転してしまうといったような煩わしさが解消される。
【０００７】
第２の発明は、第１の発明において、開いた状態のドアと使用状態のホルダー部材とが、ボックスの両側で相対向する位置に配置されている。そして、ホルダー部材のアームとドアとを連結しているリンク機構は、ドアを開閉するときの回転方向とは逆方向へホルダー部材のアームを回転させるように設定されている。
【０００８】
この構成においては、例えばドアが閉じるときの回転方向とホルダー部材が格納されるときの回転方向とが互いに逆方向になり、ボックス内に置かれた容器が、ドア側あるいはホルダー部材側のどちら側へ倒れてきても、これらによって容器を支えることができる。
【０００９】
第３の発明は、第１又は２の発明において、ホルダー部材とアームとが回転可能に連結されているとともに、使用状態のホルダー部材がほぼ水平になるように、アームに対するホルダー部材の回転位置を保持する支持アームを備えている。
【００１０】
これにより、格納状態のホルダー部材とアームとをコンパクトに収めることができるとともに、使用状態でのホルダー部材がほぼ水平に保持され、容器のホールド状態が安定する。
【発明を実施するための最良の形態】
【００１１】
以下、本発明を実施するための最良の形態を、図面を用いて説明する。
図１〜図５で示すカップホルダーの構成は、ボックス１０、ドア２０、ホルダー部材３０及びリンク機構４０に大別される。ボックス１０は、上面が開放された高さの小さい（浅い）矩形の箱状に構成されている。ドア２０は、ボックス１０の開放上面を閉ざすことができる寸法の矩形状に構成されている。ホルダー部材３０は、ドア２０を開いたときにボックス１０の内部に格納された状態（図３）から使用状態（図１、図４、図５）に切り替えられるようになっている。リンク機構４０は、ドア２０の開閉動作と、ホルダー部材３０の切り替え動作とを連動させる機能を果たす。
なお、ボックス１０、ドア２０、ホルダー部材３０は、それぞれ樹脂による一体成形品である。また、ホルダー部材３０を支持する後述のアーム３２及び支持アーム３６、リンク機構４０を構成する各リンク４２，４３，４４についても、個々に樹脂による一体成形品である。
【００１２】
ボックス１０は、例えば車両のセンターコンソールを構成する意匠パネル（図示省略）の開口部に組付けられる。そのために、ボックス１０は、その開放上面の周囲において外方へ一体に張り出した合計4個の取付け部１２を備えており、これらの取付け部１２をビス等によって意匠パネルに締結することができる。ボックス１０は、その前壁上部の両側において軸受け部１４をそれぞれ備えており、これらの軸受け部１４にはホルダー部材３０の後述する一対のアーム３２が回転可能に結合される。また、ボックス１０の前面中央に設けられているロック嵌合部１６には、ドア２０を閉じた状態に保持するためのロック部品２７が組付けられ、かつ、ビス等で締結されている。
図３〜図５で示すように、ボックス１０の前壁の内面中央には、ホルダー部材３０の後述する支持アーム３６を回転可能に結合するための軸受け部１８が設けられている。
【００１３】
ドア２０は、その後方の両側部において一体に張り出した軸支部２２をそれぞれ備えている。これらの軸支部２２は、ボックス１０における両側面の後方下部に対して回転可能に支持されている。これにより、ドア２０がボックス１０に対して図３〜図５で示す軸心２３を中心として回転し、該ドア２０によってボックス１０の開放上面を開閉することができる。両軸支部２２の内側には、セクタギヤ２４がそれぞれ一体に成形されている。そして、一方の軸支部２２のギヤ２４には、ボックス１０の片側外面に取付けられたオイルダンパー２８のギヤ（図示省略）が噛み合っている。これにより、ドア２０が後述するバネ４８の付勢力によって開く方向へ回転するときの回転速度が、オイルダンパー２８の機能によって制御される。
なお、ドア２０の両軸支部２２にギヤ２４がそれぞれ成形されている理由は、カップホルダーを組付ける箇所等の条件に応じてオイルダンパー２８をボックス１０の左右いずれの側部に取付けても対応可能とするためである。
【００１４】
ドア２０の前面中央部には、凹状に切り欠いた形状のロック溝２６が成形されている。ボックス１０のロック嵌合部１６に組付けられているロック部品２７は、ドア２０を閉じたときのロック溝２６に係合するロック爪２７ａを有し、それによってドア２０を閉じた状態でロックする（図３）。このロック部品２７は、その上部のボタン２７ｂを手で押すことにより、ロック爪２７ａがロック部品２７の内部に入り込む方向へ後退し、ボタン２７ｂから手を離せば元の状態に突出する構造になっている。したがって、ドア２０が閉じた状態でロックされているときでも、ロック部品２７のボタン２７ｂを押すことによってロック爪２７ａとロック溝２６との係合が外れ、ドア２０のロックが解除される。
【００１５】
ホルダー部材３０は、円弧状に湾曲した左右一対のホールド部３０ａを備えている。これらのホールド部３０ａは、ホルダー部材３０が使用状態（図１、図４、図５）にあるとき、ボックス１０内に置かれた飲料カップや缶等の容器Ｃ（図５）の外周面を個々にホールドすることができ、容器Ｃが倒れないように支えることが可能である。ホルダー部材３０の両端部には、個々のアーム３２と連結するための連結部３０ｂが成形されているとともに、両連結部３０ｂの中間部には一本の支持アーム３６と連結するための連結部３０ｃが成形されている。
【００１６】
二本のアーム３２の基端部は、その両側から突出したヒンジピン３２ａによってボックス１０における左右両側の軸受け部１４に対してそれぞれ回転可能に支持されている。両アーム３２の先端部は、その両側から突出した連結ピン３２ｂによってホルダー部材３０の両連結部３０ｂに対してそれぞれ回転可能に連結されている。また、両アーム３２は、個々のヒンジピン３２ａの箇所から斜め方向へ延びる延出部３４をそれぞれ備えている。一本の支持アーム３６の基端部は、その両側から突出したヒンジピン３６ａによってボックス１０の軸受け部１８に回転可能に支持されている。この支持アーム３６の先端部は、その両側から突出した連結ピン３２ｂによってホルダー部材３０の連結部３０ｃにそれぞれ回転可能に連結されている。
そこで、二本のアーム３２及び支持アーム３６が個々のヒンジピン３２ａ，３６ａを支点として回転することにより、ホルダー部材３０がボックス１０の内部に格納された状態（図３）と使用状態（図１、図４、図５）とに切り替えられる。
【００１７】
リンク機構４０は、ボックス１０の両側部にそれぞれ配置され、両リンク機構４０は第１リンク４２、第２リンク４３及び中間リンク４４によってそれぞれ構成されている。第１リンク４２の一端部は、ドア２０の軸支部２２に連結ピン４２ａによって回転可能に連結されている。この連結ピン４２ａは、ドア２０の回転中心である軸心２３から外周側に偏倚している（図３及び図４）。第２リンク４３の一端部は、アーム３２の延出部３４に連結ピン４３ａによって回転可能に連結されている。そして、第１リンク４２及び第２リンク４３の他端部は、中間リンク４４の両端部に対し、それぞれの連結ピン４２ｂ，４３ｂによって個別に連結されている。
【００１８】
このように、ドア２０とホルダー部材３０のアーム３２とは、ボックス１０の両側部に配置された両リンク機構４０によって連結されており、ドア２０が軸心２３を中心として回転すると、それに連動してホルダー部材３０のアーム３２及び支持アーム３６が個々のヒンジピン３２ａ，３６ａを中心として回転する。つまり、ドア２０の開閉動作とホルダー部材３０の切り替え動作とがリンク機構４０を通じて連動することになる。
なお、中間リンク４４の中央部分は、回転軸４６によってボックス１０に回転可能に支持されているとともに、この回転軸４６の軸上にはトーションバネ４８が組付けられている。このバネ４８は、その弾性力によって中間リンク４４を回転軸４６の軸心回りに例えば図３の時計回り方向へ付勢するように設定されている。したがって、ドア２０は常に開く方向へ付勢され、同時にホルダー部材３０はアーム３２を通じて常に使用状態になる方向へ付勢されている。
【００１９】
つづいて、カップホルダーの使用について説明する。
いま、図３で示すようにボックス１０の開放上面はドア２０によって閉ざされており、ホルダー部材３０はボックス１０の内部に格納されているものとする。そこで、既に説明したようにロック部品２７のボタン２７ｂを押すことにより、該ロック部品２７のロック爪２７ａとドア２０のロック溝２６との係合が外れ、ドア２０のロックが解除される。この結果、バネ４８の付勢力によってドア２０が軸心２３を中心として図３の時計回り方向へ回転し、かつ、ホルダー部材３０の両アーム３２がヒンジピン３２ａを中心として反時計回り方向へ回転する。つまり、ドア２０とホルダー部材３０の両アーム３２とは、バネ４８の付勢力に基づき、リンク機構４０を通じて互いに逆方向に回転する。
【００２０】
これにより、ドア２０はボックス１０の開放上面は開いた状態となり、ホルダー部材３０はボックス１０の上方でほぼ水平に位置した使用状態になる（図１、図４、図５）。また、このときのドア２０とホルダー部材３０とは、ボックス１０の前後両側で相対向しているとともに、ドア２０が閉じる方向とホルダー部材３０が格納される方向とは、当然のことながら互いに逆方向になっている。
なお、ホルダー部材３０が使用状態になったときの支持アーム３６は、ホルダー部材３０が両アーム３２に対して個々の連結ピン３２ｂ回りに回転するのを阻止した状態で、ホルダー部材３０をほぼ水平に支えている。また、バネ４８の付勢力によってドア２０が開くときの回転速度は、前述のようにオイルダンパー２８の機能によって制御される。
【００２１】
図５で示すように、ボックス１０内に置かれる各種サイズの容器Ｃは、ボックス１０の前後両側で相対向しているドア２０とホルダー部材３０との間に位置することになる。そして、ドア２０が閉じる方向とホルダー部材３０が格納される方向とは互いに逆方向であることから、容器Ｃがドア２０側へ倒れようとすると該ドア２０で支えられ、逆に容器Ｃがホルダー部材３０側へ倒れようとすると該ホルダー部材３０で支えられる。このため、ドアにホルダー部材が直接結合された従来の構成と異なり、例えばホルダー部材３０に容器Ｃが当たっても、それだけでドア２０が閉じる方向へ回転するようなことはない。
カップホルダーの使用を終えたら、ドア２０を軸心２３回りに図４の反時計回り方向へ回転させ、そのロック溝２６をロック部品２７のロック爪２７ａに係合させる。ドア２０の回転により、ホルダー部材３０の両アーム３２がリンク機構４０を通じて連動し、ヒンジピン３２ａ回りに時計回り方向へ回転する。これにより、ホルダー部材３０が両アーム３２及び支持アーム３６と共にボックス１０の内部に格納され、かつ、ドア２０がボックス１０の開放上面を閉ざした状態でロックされる。
【図面の簡単な説明】
【００２２】
【図１】カップホルダーを表した外観斜視図。
【図２】カップホルダーを表した分解斜視図。
【図３】カップホルダーを使用していない状態を表した側面図。
【図４】カップホルダーの使用状態を表した側面図。
【図５】カップホルダーに各種サイズの容器が置かれた状態の説明図。
【符号の説明】
【００２３】
１０ ボックス
２０ ドア
３０ ホルダー部材
３２ アーム
４０ リンク機構
Ｃ   容器
【図１】
2010137761.tif 000003
【図２】
2010137761.tif 000004
【図３】
2010137761.tif 000005
【図４】
2010137761.tif 000006
【図５】
2010137761.tif 000007